(57)【要約】【課題】一部の回線に障害が発生しても通信サービスへの影響を抑制すること。【解決手段】伝送装置１１０は、フレーム処理部１１１と、伝送部１１２と、を備える。フレーム処理部１１１は、入力信号からアイドル信号以外のデータを抽出し、抽出したデータを格納した第１フレームを生成し、生成した第１フレームを第２フレームに格納する。伝送部１１２は、複数の回線のうち、第２フレームにおける第１フレームの格納領域に対応する回線に分けて第２フレームを伝送する。また、伝送部１１２は、複数の回線１０１のうちの一部の回線１０１に障害が発生した場合に、一部の回線１０１に対応する第１フレームを、第２フレームにおける一部の回線１０１と異なる回線１０１により伝送される領域に格納する。【選択図】図１
2018166307.tif 000002
【特許請求の範囲】
【請求項１】
入力信号からアイドル信号以外のデータを抽出し、抽出した前記データを格納した第１フレームを生成し、前記生成した第１フレームを第２フレームに格納するフレーム処理部と、
複数の回線のうち、前記第２フレームにおける第１フレームの格納領域に対応する回線に分けて前記第２フレームを伝送する伝送部と、を有し、
前記伝送部は、前記複数の回線のうちの一部の回線に障害が発生した場合に、前記一部の回線に対応する前記第１フレームを、前記第２フレームにおける前記一部の回線と異なる回線により伝送される領域に格納する
ことを特徴とする伝送装置。
【請求項２】
前記第１フレームは、抽出した前記データが前記第２フレームに格納されるまでに行われる各フレーム化のうち最初のフレーム化により得られるフレームであることを特徴とする請求項１に記載の伝送装置。
【請求項３】
前記フレーム処理部は、複数のポートからの各入力信号について前記第１フレームを生成し、前記生成した第１フレームを、前記第１フレームのデータの入力ポートに応じた回線により伝送されるように前記第２フレームに格納し、
前記第２フレームは、前記第１フレームが格納される前記第２フレームの各領域と、前記複数のポートと、の対応情報を含む、
ことを特徴とする請求項１または２に記載の伝送装置。
【請求項４】
前記フレーム処理部は、前記障害が発生した場合に、前記一部の回線に対応する前記第１フレームに、前記複数のポートのうち、前記一部の回線に対応する前記第１フレームのデータのポートを示す情報を付与し、前記情報を付与した前記第１フレームを前記異なる回線により伝送される領域に格納する、
ことを特徴とする請求項３に記載の伝送装置。
【請求項５】
前記フレーム処理部は、前記複数のポートからの各入力信号の回線使用率を示す情報に基づいて、前記障害が発生した場合に、前記一部の回線に対応する前記第１フレームを、前記異なる回線により伝送される領域に格納することを特徴とする請求項３または４に記載の伝送装置。
【請求項６】
入力信号からアイドル信号以外のデータを抽出し、抽出した前記データを格納した第１フレームを生成し、前記生成した第１フレームを第２フレームに格納し、複数の回線のうち、前記第２フレームにおける第１フレームの格納領域に対応する回線に分けて前記第２フレームを伝送し、前記複数の回線のうちの一部の回線に障害が発生した場合に、前記一部の回線に対応する前記第１フレームを、前記第２フレームにおける前記一部の回線と異なる回線により伝送される領域に格納する他の伝送装置から、前記複数の回線に分けて伝送される前記第２フレームを受信する受信部と、
前記受信部によって受信された前記第２フレームから前記データを抽出する抽出部と、
を備えることを特徴とする伝送装置。
【請求項７】
伝送装置が、
入力信号からアイドル信号以外のデータを抽出し、抽出した前記データを格納した第１フレームを生成し、
前記生成した第１フレームを第２フレームに格納し、
複数の回線のうち、前記第２フレームにおける第１フレームの格納領域に対応する回線に分けて前記第２フレームを伝送し、
前記複数の回線のうちの一部の回線に障害が発生した場合に、前記一部の回線に対応する前記第１フレームを、前記第２フレームにおける前記一部の回線と異なる回線により伝送される領域に格納する、
ことを特徴とする伝送方法。
【請求項８】
伝送装置が、
入力信号からアイドル信号以外のデータを抽出し、抽出した前記データを格納した第１フレームを生成し、前記生成した第１フレームを第２フレームに格納し、複数の回線のうち、前記第２フレームにおける第１フレームの格納領域に対応する回線に分けて前記第２フレームを伝送し、前記複数の回線のうちの一部の回線に障害が発生した場合に、前記一部の回線に対応する前記第１フレームを、前記第２フレームにおける前記一部の回線と異なる回線により伝送される領域に格納する他の伝送装置から、前記複数の回線に分けて伝送される前記第２フレームを受信し、
受信した前記第２フレームから前記データを抽出する、
ことを特徴とする伝送方法。
【発明の詳細な説明】
【技術分野】
【０００１】
本発明は、伝送装置および伝送方法に関する。
【背景技術】
【０００２】
従来、ＯＴＮ（Ｏｐｔｉｃａｌ  Ｔｒａｎｓｐｏｒｔ  Ｎｅｔｗｏｒｋ：光伝達網）などの光伝送を用いた通信システムが知られている。また、複数の加入者からの信号を時分割多重して複数の回線により伝送する構成において、正常な回線の空きチャネルを検出し、異常回線で送出すべき信号を正常な回線の空きチャネルに挿入する技術が知られている（たとえば、下記特許文献１参照。）。また、等時性可変レートデータ伝送が使用している帯域量を他の伝送装置が監視し、空き帯域を使用して非等時性データを伝送する技術が知られている（たとえば、下記特許文献２参照。）。
【先行技術文献】
【特許文献】
【０００３】
【特許文献１】特開昭５９−１７１３３１号公報
【特許文献２】特開２０００−４９８３０号公報
【発明の概要】
【発明が解決しようとする課題】
【０００４】
しかしながら、上述した従来技術では、たとえば複数の回線を用いて伝送する各光信号をボンディングする構成において、一部の回線に障害が発生した場合に、通信サービスへの影響を抑制することができない場合がある。
【０００５】
１つの側面では、本発明は、一部の回線に障害が発生しても通信サービスへの影響を抑制することができる伝送装置および伝送方法を提供することを目的とする。
【課題を解決するための手段】
【０００６】
上述した課題を解決し、目的を達成するため、１つの実施態様では、入力信号からアイドル信号以外のデータを抽出し、抽出した前記データを格納した第１フレームを生成し、
前記生成した第１フレームを第２フレームに格納し、複数の回線のうち、前記第２フレームにおける第１フレームの格納領域に対応する回線に分けて前記第２フレームを伝送し、前記複数の回線のうちの一部の回線に障害が発生した場合に、前記一部の回線に対応する前記第１フレームを、前記第２フレームにおける前記一部の回線と異なる回線により伝送される領域に格納する伝送装置および伝送方法が提案される。
【０００７】
また、他の１つの実施態様では、伝送装置が、入力信号からアイドル信号以外のデータを抽出し、抽出した前記データを格納した第１フレームを生成し、前記生成した第１フレームを第２フレームに格納し、複数の回線のうち、前記第２フレームにおける第１フレームの格納領域に対応する回線に分けて前記第２フレームを伝送し、前記複数の回線のうちの一部の回線に障害が発生した場合に、前記一部の回線に対応する前記第１フレームを、前記第２フレームにおける前記一部の回線と異なる回線により伝送される領域に格納する他の伝送装置から、前記複数の回線に分けて伝送される前記第２フレームを受信し、受信した前記第２フレームから前記データを抽出する伝送装置および伝送方法が提案される。
【発明の効果】
【０００８】
本発明の一側面によれば、一部の回線に障害が発生しても通信サービスへの影響を抑制することができるという効果を奏する。
【図面の簡単な説明】
【０００９】
【図１】図１は、実施の形態にかかる伝送システムの一例を示す図である。
【図２】図２は、実施の形態にかかる第１伝送装置の一例を示す図である。
【図３】図３は、実施の形態にかかる第２伝送装置の一例を示す図である。
【図４】図４は、実施の形態にかかる伝送システムにおいて伝送されるＯＴＵＣｎフレームの一例を示す図である。
【図５】図５は、実施の形態にかかる伝送システムにおいて伝送されるＯＴＵＣｎフレームに含まれるＭＳＩの一例を示す図である。
【図６】図６は、実施の形態にかかる第１伝送装置による処理の一例を示すフローチャートである。
【図７】図７は、実施の形態にかかる第２伝送装置による処理の一例を示すフローチャートである。
【図８】図８は、実施の形態にかかる伝送システムにおけるＯＴＵＣｎフレームの伝送の一例を示す図である。
【図９】図９は、実施の形態にかかる伝送システムにおける一部の物理回線の故障および救済の一例を示す図である。
【図１０】図１０は、実施の形態にかかる伝送システムにおける救済回線へのデータの割り振りの一例を示す図である。
【図１１】図１１は、実施の形態にかかるＯＤＵフレックスフレームの一例を示す図である。
【図１２】図１２は、実施の形態にかかるＯＤＴＵＣｎフレームおよびＯＰＵＣｎ／ＯＤＵＣｎ／ＯＴＵＣｎフレームの一例を示す図である。
【図１３】図１３は、実施の形態にかかる各伝送装置のハードウェア構成の一例を示す図である。
【発明を実施するための形態】
【００１０】
以下に図面を参照して、本発明にかかる伝送装置および伝送方法の実施の形態を詳細に説明する。
【００１１】
（実施の形態）
（実施の形態にかかる伝送システム）
図１は、実施の形態にかかる伝送システムの一例を示す図である。図１に示すように、実施の形態にかかる伝送システム１００は、第１伝送装置１１０と、第２伝送装置１２０と、を含む。第１伝送装置１１０および第２伝送装置１２０は、複数の回線１０１〜１０ｎを介して互いに接続されている。ｎは２以上の自然数である。
【００１２】
回線１０１〜１０ｎは、たとえばそれぞれ光信号を伝送可能な物理回線である。また、回線１０１〜１０ｎは、たとえば、複数本の光ファイバ等の光伝送路であってもよいし、１本の光ファイバ等の光伝送路で実現される複数の波長チャネルであってもよい。
【００１３】
図１に示す例では、回線１０１〜１０ｎを介して第１伝送装置１１０から第２伝送装置１２０へデータ伝送を行う場合について説明する。第１伝送装置１１０は、フレーム処理部１１１と、伝送部１１２と、を備える。
【００１４】
フレーム処理部１１１には、有効データおよびアイドル信号を含む信号が入力される。フレーム処理部１１１へ入力される信号は、一例としては後述のイーサネット（登録商標）データである。この場合に、有効データは、たとえばＭＡＣ（Ｍｅｄｉａ  Ａｃｃｅｓｓ  Ｃｏｎｔｒｏｌ：メディアアクセス制御）フレームである。アイドル信号は、たとえば論理的に無信号の区間である。フレーム処理部１１１は、入力された信号（入力信号）から、アイドル信号以外のデータ（有効データ）を抽出する。
【００１５】
これにより、フレーム処理部１１１へ入力される信号の帯域を圧縮したデータを得ることができる。フレーム処理部１１１は、抽出したデータを格納した第１フレームを生成する。第１フレームは、一例としては、後述のＯＤＵフレックス（ＯＤＵｆｌｅｘ）フレームである。ＯＤＵはＯｐｔｉｃａｌ−ｃｈａｎｎｅｌ  Ｄａｔａ  Ｕｎｉｔの略である。
【００１６】
また、フレーム処理部１１１は、生成した第１フレームを第２フレームに格納する。たとえば、フレーム処理部１１１は、複数の第１フレームを、第２フレームのペイロードの各領域に格納する。一例としては、第２フレームは後述のＯＴＵＣｎ（Ｏｐｔｉｃａｌ−ｃｈａｎｎｅｌ  Ｔｒａｎｓｐｏｒｔ  Ｕｎｉｔ  １００Ｇ×ｎ）フレームである。第２フレームのペイロードの各領域は、一例としては後述のＴＳ（Ｔｒｉｂｕｔａｒｙ  Ｓｌｏｔ）である。そして、フレーム処理部１１１は、第１フレームを生成した第２フレームを伝送部１１２へ出力する。
【００１７】
伝送部１１２は、フレーム処理部１１１から出力された第２フレームを、回線１０１〜１０ｎのうち、第２フレームにおける第１フレームの格納領域に対応する回線に分けて第２伝送装置１２０へ伝送する。一例としては、第２フレームがＯＴＵＣｎフレームである場合に、伝送部１１２は、生成した第２フレーム（ＯＴＵＣｎフレーム）を複数のＯＴＵＣｎサブフレームとして回線１０１〜１０ｎによりそれぞれ伝送する。
【００１８】
また、伝送部１１２は、回線１０１〜１０ｎのうちの一部の回線に障害が発生した場合に、フレーム処理部１１１によって生成された第１フレームのうちの、障害が発生した回線（障害回線）に対応する第１フレームを他の回線（救済回線）により伝送する。回線の障害とは、たとえば、その回線による光信号の伝送ができなくなる障害や、その回線による光信号の伝送速度が低くなる障害などである。障害回線に対応する第１フレームとは、たとえば、障害の発生前に、第２フレームの各領域のうち障害回線により伝送される領域に割り当てられていた第１フレームである。
【００１９】
たとえば、伝送部１１２は、障害回線に対応する第１フレームを、第２フレームの領域のうち、障害回線と異なる救済回線により伝送される領域に格納する。これにより、障害回線に対応する第１フレームが救済回線によって伝送される。
【００２０】
また、第１フレームはフレーム処理部１１１によって帯域が圧縮されているため、救済回線の空き容量は大きくなっており、また障害回線に対応する第１フレームの帯域も小さくなっている。このため、障害回線に対応する第１フレームを救済回線に挿入することによる救済回線の通信速度の低下を抑制しつつ、障害回線の救済を行うことができる。このため、回線１０１〜１０ｎのうちの一部の回線に障害が発生した場合の通信サービスへの影響を抑制することができる。
【００２１】
第２伝送装置１２０は、受信部１２１と、抽出部１２２と、を備える。受信部１２１は、第１伝送装置１１０から、回線１０１〜１０ｎに分けて伝送される第２フレームを受信する。そして、受信部１２１は、受信した第２フレームを抽出部１２２へ出力する。抽出部１２２は、受信部１２１から出力された第２フレームから第１フレームを抽出し、抽出した第１フレームから元のデータを抽出する。また、抽出部１２２は、抽出した元のデータにアイドル信号を挿入して出力してもよい。
【００２２】
このように、複数の第１フレームを格納した第２フレームを複数の回線に分けて伝送する構成において、入力信号からアイドル信号以外のデータを抽出し、抽出したデータを第１フレームに格納することで、帯域を圧縮した第１フレームを得ることができる。そして、一部の回線に障害が発生した場合に、その回線に対応する第１フレームを、第２フレームにおける他の回線により伝送される領域に格納することができる。これにより、一部の回線に障害が発生しても通信サービスへの影響を抑制することができる。
【００２３】
また、第１フレームは、たとえば、入力信号から抽出されたデータが第２フレームに格納されるまでに行われる各フレーム化のうち最初のフレーム化により得られるフレーム（一例としてはＯＤＵフレックスフレーム）であってもよい。これにより、データサイズが小さい第１フレームの単位で回線の切り替えを行うことができるため、障害回線の救済を短い時間で行い、通信サービスへの影響を抑制することができる。
【００２４】
また、第１伝送装置１１０は、複数の入力ポートを備え、フレーム処理部１１１には複数の入力ポートからの各信号が入力されてもよい。この場合に、フレーム処理部１１１は、複数の入力ポートのそれぞれについて、入力ポートからの入力信号に基づいて上述の第１フレームを生成する。たとえば、複数の入力ポートには、第１入力ポートと、第２入力ポートと、が含まれる。この場合に、フレーム処理部１１１は、第１入力ポートから入力された信号から有効データを抽出し、抽出したデータを格納した第１フレームを生成する。また、フレーム処理部１１１は、第２入力ポートから入力された信号から有効データを抽出し、抽出したデータを格納した第１フレームを生成する。
【００２５】
この場合に、フレーム処理部１１１は、生成した第１フレームのデータの入力ポートに応じた回線によりその第１フレームが伝送されるようにその第１フレームを第２フレームに格納する。たとえば、フレーム処理部１１１は、第１入力ポートから入力された信号に基づき生成した第１フレームを、第２フレームの領域のうちの第１回線により伝送される領域に格納する。また、フレーム処理部１１１は、第２入力ポートから入力された信号に基づき生成した第１フレームを、第２フレームの領域のうちの第２回線により伝送される領域に格納する。第２回線は、回線１０１〜１０ｎのうち第１回線と異なる回線である。
【００２６】
また、この場合に、フレーム処理部１１１は、生成する第２フレームに、第１フレームが格納される第２フレームの各領域と、複数の入力ポートに対応する各出力ポートと、の対応情報を含める。複数の入力ポートに対応する各出力ポートは、たとえば第１伝送装置１１０の複数の入力ポートに対応する第２伝送装置１２０の複数の出力ポートである。
【００２７】
この対応情報は、たとえば、第１フレームが格納される第２フレームの領域ごとに、その領域に格納された第１フレームを出力すべき出力ポートを示す情報である。この対応情報は、一例としては、後述のＴＳとＴＰとを対応付けるＭＳＩである。ＴＰは、Ｔｒｉｂｕｔａｒｙ  Ｐｏｒｔの略である。たとえば、ＴＰは、物理的なクライアント側のポートの番号である。ＭＳＩはＭｕｌｔｉｐｌｅｘ  Ｓｔｒｕｃｔｕｒｅ  Ｉｄｅｎｔｉｆｉｅｒの略である。
【００２８】
第２伝送装置１２０の抽出部１２２は、受信部１２１から出力された第２フレームに含まれる対応情報に基づいて、第２フレームの各領域から抽出した第１フレームの各データを、複数の出力ポートのうちそのデータに対応する出力ポートから出力する。これにより、第１伝送装置１１０は複数のポートのデータを格納した第２フレームを回線１０１〜１０ｎに分けて伝送し、第２伝送装置１２０は第２フレームから抽出した第１フレームの各データを適切な出力ポートから出力することができる。
【００２９】
この場合に、第１伝送装置１１０の伝送部１１２は、一部の回線に障害が発生した場合に、障害回線に対応する第１フレームに、複数の出力ポートのうち、その第１フレームのデータの入力ポートに対応する出力ポートを示す行先ポート情報を付与してもよい。そして、伝送部１１２は、行先ポート情報を付与した第１フレームを、第２フレームにおける救済回線により伝送される領域に格納する。
【００３０】
この場合に、第２伝送装置１２０の抽出部１２２は、受信部１２１から出力された第２フレームの各領域から抽出した第１フレームに行先ポート情報が付与されていた場合は、その第１フレームを、その行先ポート情報が示す出力ポートから出力する。これにより、一部の回線に障害が発生して障害回線に対応する第１フレームを救済回線により伝送し、救済回線に対応するポートが障害回線に対応するポートと異なっていても、障害回線に対応する第１フレームを適切な出力ポートから出力することができる。
【００３１】
また、第１伝送装置１１０のフレーム処理部１１１は、複数の入力ポートからの各入力信号の回線使用率を示す情報を取得してもよい。そして、フレーム処理部１１１は、取得した情報に基づいて、一部の回線に障害が発生した場合に、障害回線に対応する第１フレームを、第２フレームにおける救済回線により伝送される領域に格納してもよい。たとえば、フレーム処理部１１１は、回線使用率を示す情報に基づいて、第２フレームにおける各領域の中から、障害回線に対応する第１フレームを格納する領域を選択する。これにより、障害回線に対応する第１フレームを、回線使用率に応じて選択した救済回線により伝送し、通信サービスへの影響を効率よく抑制できる。
【００３２】
（実施の形態にかかる第１伝送装置）
図２は、実施の形態にかかる第１伝送装置の一例を示す図である。図１に示した送信側の第１伝送装置１１０は、たとえば図２に示す第１伝送装置１１０により実現することができる。図２に示す第１伝送装置１１０は、たとえば、変換部２０１（２５７ｂ  ｔｏ  ６６ｂ）と、モニタ２１１，２１２（６６ｂ／６４ｂ  ｍｏｎｉｔｏｒ）と、バッファ２２１，２２２（Ｂｕｆｆｅｒ）と、を備える。
【００３３】
また、第１伝送装置１１０は、ＯＤＵフレックスフレーマ２３１，２３２（ＯＤＵｆｌｅｘ）と、マルチプレクサ２４０（ＯＤＵｆｌｅｘ  ｍｕｌｔｉｐｌｅｘ）と、ＯＤＴＵＣｎフレーマ２５１，２５２（ＯＤＴＵＣｎ．ｔｓ）と、を備える。また、第１伝送装置１１０は、ＯＤＴＵＧＣｎフレーマ２６０（ＯＤＴＵＧＣｎ）と、ＯＰＵＣｎフレーマ２７０（ＯＰＵＣｎ）と、ＯＤＵＣｎフレーマ２８０（ＯＤＵＣｎ）と、ＯＴＵＣｎフレーマ２９０（ＯＴＵＣｎ）と、を備える。
【００３４】
ＯＤＴＵＣｎはＯｐｔｉｃａｌ−ｃｈａｎｎｅｌ  Ｄａｔａ  Ｔｒｉｂｕｔａｒｙ  Ｕｎｉｔ  １００Ｇ×ｎの略である。ＯＤＴＵＧＣｎはＯｐｔｉｃａｌ−ｃｈａｎｎｅｌ  Ｄａｔａ  Ｔｒｉｂｕｔａｒｙ  Ｕｎｉｔ  Ｇｒｏｕｐ  １００Ｇ×ｎの略である。ＯＰＵＣｎはＯｐｔｉｃａｌ−ｃｈａｎｎｅｌ  Ｐａｙｌｏａｄ  Ｕｎｉｔ  １００Ｇ×ｎの略である。ＯＤＵＣｎはＯｐｔｉｃａｌ−ｃｈａｎｎｅｌ  Ｄａｔａ  Ｕｎｉｔ  １００Ｇ×ｎの略である。
【００３５】
図１に示したフレーム処理部１１１は、たとえば変換部２０１、バッファ２２１，２２２およびＯＤＵフレックスフレーマ２３１，２３２により実現することができる。図１に示した伝送部１１２は、たとえばマルチプレクサ２４０、ＯＤＴＵＣｎフレーマ２５１，２５２、ＯＤＴＵＧＣｎフレーマ２６０、ＯＰＵＣｎフレーマ２７０、ＯＤＵＣｎフレーマ２８０およびＯＴＵＣｎフレーマ２９０により実現することができる。
【００３６】
図２に示す例では、第１伝送装置１１０は、２つのポート（Ｔｒｉｂｕｔａｒｙ  Ｐｏｒｔ＃１およびＴｒｉｂｕｔａｒｙ  Ｐｏｒｔ＃２）を有する。そして、Ｔｒｉｂｕｔａｒｙ  Ｐｏｒｔ＃１には１００ＧＢＡＳＥ−Ｒの仕様のイーサネットデータが入力され、Ｔｒｉｂｕｔａｒｙ  Ｐｏｒｔ＃２には４００ＧＢＡＳＥ−Ｒの仕様のイーサネットデータが入力される。１００ＧＢＡＳＥ−Ｒの仕様のイーサネットデータは、たとえば６４ビットのデータを６６ビットのシンボルで表す６４ｂ／６６ｂの符号化が行われている。４００ＧＢＡＳＥ−Ｒの仕様のイーサネットデータは、たとえば、６４ビットのデータを６６ビットのシンボルで表す６４ｂ／６６ｂの符号化が行われ、さらに６６ビットのデータを２５７ビットのシンボルで表す６６ｂ／２５７ｂの符号化が行われている。
【００３７】
変換部２０１は、Ｔｒｉｂｕｔａｒｙ  Ｐｏｒｔ＃１から入力された４００ＧＢＡＳＥ−Ｒの仕様のイーサネットデータ（２５７ビット）をデコードして６６ビットのデータに変換する。そして、変換部２０１は、６６ビットのデータに変換したイーサネットデータをモニタ２１２およびバッファ２２２へ出力する。
【００３８】
モニタ２１１は、Ｔｒｉｂｕｔａｒｙ  Ｐｏｒｔ＃２から入力された１００ＧＢＡＳＥ−Ｒの仕様のイーサネットデータをデコードして６４ビットのデータに変換し、６４ビットのデータに変換したイーサネットデータにおける回線使用率を常時モニタする。そして、モニタ２１１は、モニタした回線使用率を示す回線使用率情報をマルチプレクサ２４０へ出力する。
【００３９】
モニタ２１２は、変換部２０１から出力されたイーサネットデータをデコードして６４ビットのデータに変換し、６４ビットのデータに変換したイーサネットデータにおける回線使用率を常時モニタする。そして、モニタ２１２は、算出した回線使用率を示す回線使用率情報をマルチプレクサ２４０へ出力する。
【００４０】
モニタ２１１，２１２によってモニタされるイーサネットデータにおける回線使用率は、たとえば、イーサネットデータの最大のデータ転送速度に対する、イーサネットデータの実際のデータ転送速度の割合である。たとえば、モニタ２１１，２１２は、所定期間のイーサネットデータに含まれる有効データとアイドル信号（ＩＤＬＥ信号）との割合に基づいて回線使用率を算出する。
【００４１】
バッファ２２１は、入力されたイーサネットデータを格納する。バッファ２２２は、変換部２０１から出力されたイーサネットデータを格納する。
【００４２】
ＯＤＵフレックスフレーマ２３１は、バッファ２２１に格納されたイーサネットデータを読み出し、読み出したイーサネットデータのうち有効データ（たとえばＭＡＣフレーム）をＯＤＵフレックスフレームに変換する。ＯＤＵフレックスフレームは、たとえば格納されるクライアント信号のビットレートに応じてフレキシブルにペイロード要領を設定可能なフレームである。ＯＤＵフレックスフレーマ２３１は、変換したＯＤＵフレックスフレームをマルチプレクサ２４０へ出力する。これにより、アイドル信号が除外されて帯域が圧縮されたイーサネットデータがＯＤＵフレックスフレームに変換されてマルチプレクサ２４０へ出力される。
【００４３】
同様に、ＯＤＵフレックスフレーマ２３２は、バッファ２２２に格納されたイーサネットデータを読み出し、読み出したイーサネットデータのうち有効データをＯＤＵフレックスフレームに変換する。そして、ＯＤＵフレックスフレーマ２３２は、変換したＯＤＵフレックスフレームをマルチプレクサ２４０へ出力する。
【００４４】
マルチプレクサ２４０は、ＯＤＵフレックスフレーマ２３１，２３２から出力された各ＯＤＵフレックスフレームを各ＴＳ（たとえばＴＳ＃１〜＃１００）に割り当てる。一例としては、マルチプレクサ２４０は、ＯＤＵフレックスフレーマ２３１から出力されたＯＤＵフレックスフレーム（Ｔｒｉｂｕｔａｒｙ  Ｐｏｒｔ＃１の信号）をＴＳ＃１〜＃２０に割り当てる。また、マルチプレクサ２４０は、ＯＤＵフレックスフレーマ２３２から出力されたＯＤＵフレックスフレーム（Ｔｒｉｂｕｔａｒｙ  Ｐｏｒｔ＃２の信号）をＴＳ＃２１〜＃１００に割り当てる。
【００４５】
そして、マルチプレクサ２４０は、各ＯＤＵフレックスフレームを、ＯＤＴＵＣｎフレーマ２５１，２５２のうち割り当てたＴＳに応じたＯＤＴＵＣｎフレーマへ出力する。一例としては、マルチプレクサ２４０は、ＴＳ＃１〜＃２０に割り当てたＯＤＵフレックスフレームをＯＤＴＵＣｎフレーマ２５１へ出力する。また、マルチプレクサ２４０は、ＴＳ＃２１〜＃１００に割り当てたＯＤＵフレックスフレームをＯＤＴＵＣｎフレーマ２５２へ出力する。
【００４６】
また、マルチプレクサ２４０は、入力された回線障害情報に基づいて、ＯＴＵＣｎフレームを伝送するための複数の物理回線のうちの一部の物理回線の障害の発生を検出する。回線障害情報は、たとえば、ＯＴＵＣｎフレーマ２９０の後段にある光モジュールからマルチプレクサ２４０へ入力される。マルチプレクサ２４０は、一部の物理回線の障害を検出すると、モニタ２１１，２１２から出力される各回線使用率情報に基づいて、障害を検出していない物理回線の中から救済回線として使用する１個以上の物理回線を選択する。
【００４７】
また、マルチプレクサ２４０は、選択した救済回線が１個である場合は、障害を検出した回線（障害回線）に対応するＴＳに割り当てていたＯＤＵフレックスフレームを、救済回線に対応するＴＳに割り当てる（マッピングする）。また、マルチプレクサ２４０は、選択した救済回線が複数である場合は、障害回線に対応するＴＳに割り当てていたＯＤＵフレックスフレームの有効データ量を、複数の救済回線に対してどのような比率で割り当てるかを決定する。そして、マルチプレクサ２４０は、障害回線に対応するＴＳに割り当てていたＯＤＵフレックスフレームを、決定した比率により、複数の救済回線に対応するＴＳに割り当てる。
【００４８】
また、マルチプレクサ２４０は、障害回線に対応するＴＳに割り当てていたＯＤＵフレックスフレームのＯＨに行先ポート情報を付与する。ＯＨはＯｖｅｒＨｅａｄ（オーバヘッド）の略である。ＯＤＵフレックスフレームのＯＨに付与される行先ポート情報は、そのＯＤＵフレックスフレームのＴＰ（ポート）を示す情報である。
【００４９】
たとえば、マルチプレクサ２４０は、障害回線に対応するＴＳに割り当てていたＯＤＵフレックスフレームがＯＤＵフレックスフレーマ２３１からのＯＤＵフレックスフレーム（Ｔｒｉｂｕｔａｒｙ  Ｐｏｒｔ＃１のデータ）である場合はＴｒｉｂｕｔａｒｙ  Ｐｏｒｔ＃１を示す行先ポート情報を付与する。また、マルチプレクサ２４０は、障害回線に対応するＴＳに割り当てていたＯＤＵフレックスフレームがＯＤＵフレックスフレーマ２３２からのＯＤＵフレックスフレーム（Ｔｒｉｂｕｔａｒｙ  Ｐｏｒｔ＃２のデータ）である場合はＴｒｉｂｕｔａｒｙ  Ｐｏｒｔ＃２を示す行先ポート情報を付与する。
【００５０】
または、ＯＤＵフレックスフレームのＯＨに付与される行先ポート情報は、そのＯＤＵフレックスフレームのＴＰ（ポート）を間接的に示す情報であってもよい。たとえば、ＯＤＵフレックスフレームのＯＨに付与される行先ポート情報は、そのＯＤＵフレックスフレームを元々割り当てていた障害回線に対応するＴＳを示す情報であってもよい。この場合に、受信側は、ＴＳとＴＰの対応情報であるＭＳＩと行先ポート情報を参照することで、そのＯＤＵフレックスフレームのＴＰ（ポート）を特定することができる。
【００５１】
または、ＯＤＵフレックスフレームのＯＨに付与される行先ポート情報は、そのＯＤＵフレックスフレームのＴＰと、そのＯＤＵフレックスフレームを割り当てたＴＳ（救済回線のＴＳ）と、を対応付ける対応情報であってもよい。
【００５２】
これにより、障害回線に対応するＴＳに割り当てられていたＯＤＵフレックスフレームが、ＯＨに行先ポート情報を付与された状態で、障害が発生していない救済回線に対応するＴＳに割り当てられてＯＤＴＵＣｎフレーマ２５１，２５２へ出力される。
【００５３】
一例として、複数の物理回線には第１〜第５物理回線が含まれ、ＴＳ＃１〜＃２０は第１物理回線で伝送され、ＴＳ＃２１〜＃１００は第２〜第５物理回線で伝送されているとする。そして、第１〜第５物理回線のうち第５物理回線のみに障害が発生し、マルチプレクサ２４０は、救済回線として第１〜第４物理回線を選択したとする。また、モニタ２１１によってモニタされた回線使用率が３０％であり、モニタ２１２によってモニタされた回線使用率が４０％であったとする。
【００５４】
この場合は、Ｔｒｉｂｕｔａｒｙ  Ｐｏｒｔ＃１のデータが伝送されている第２物理回線の回線使用率は、モニタ２１１によってモニタされた３０％であると推定できる。また、Ｔｒｉｂｕｔａｒｙ  Ｐｏｒｔ＃２のデータが伝送されている第１〜第４物理回線の各回線使用率は、モニタ２１２によってモニタされた４０％であると推定できる。このため、第１〜第４物理回線の回線使用率の比は、３０：４０：４０：４０と見積もることができる。
【００５５】
したがって、マルチプレクサ２４０は、たとえば、障害の発生前に第５物理回線（たとえばＴＳ＃８１〜＃１００）に割り当てていたＯＤＵフレックスフレームを、第１〜第４物理回線に１／３：１／４：１／４：１／４＝４：３：３：３の比率で割り当てる。または、マルチプレクサ２４０は、障害の発生前に第５物理回線に割り当てていたＯＤＵフレックスフレームを、第１〜第４物理回線に１００−３０：１００−４０：１００−４０：１００−４０＝７：６：６：６の比率で割り当ててもよい。
【００５６】
ただし、回線使用率に基づくマルチプレクサ２４０の割り当て方法はこれらに限らず、各種の割り当て方法とすることができる。たとえば、マルチプレクサ２４０は、回線使用率に基づいて救済回線を選択し、選択した救済回線に障害回線に対応するＯＤＵフレックスフレームを救済回線に均等に割り当ててもよい。
【００５７】
ＯＤＴＵＣｎフレーマ２５１は、マルチプレクサ２４０が第１物理回線に割り当てて出力したＯＤＵフレックスフレームを、マルチプレクサ２４０による割り当て結果に基づいて、たとえばＴＳ＃１〜＃２０に対応するＯＤＴＵＣｎフレームに変換する。そして、ＯＤＴＵＣｎフレーマ２５１は、変換したＯＤＴＵＣｎフレームをＯＤＴＵＧＣｎフレーマ２６０へ出力する。ＯＤＴＵＣｎフレーマ２５２は、マルチプレクサ２４０から出力された各ＯＤＵフレックスフレームを、マルチプレクサ２４０による割り当て結果に基づいて、たとえばＴＳ＃２１〜＃１００に対応するＯＤＴＵＣｎフレームに変換する。そして、ＯＤＴＵＣｎフレーマ２５２は、変換したＯＤＴＵＣｎフレームをＯＤＴＵＧＣｎフレーマ２６０へ出力する。
【００５８】
ＯＤＴＵＧＣｎフレーマ２６０は、ＯＤＴＵＣｎフレーマ２５１，２５２から出力された各ＯＤＴＵＣｎフレームを、時間分割多重（ｔｉｍｅ−ｄｉｖｉｓｉｏｎ  ｍｕｌｔｉｐｌｅｘ）し、ＯＤＴＵＧＣｎフレームに変換する。そして、ＯＤＴＵＧＣｎフレーマ２６０は、変換したＯＤＴＵＧＣｎフレームをＯＰＵＣｎフレーマ２７０へ出力する。
【００５９】
ＯＰＵＣｎフレーマ２７０は、ＯＤＴＵＧＣｎフレーマ２６０から出力されたＯＤＴＵＧＣｎフレームをＯＰＵＣｎフレームに変換し、変換したＯＰＵＣｎフレームをＯＤＵＣｎフレーマ２８０へ出力する。ＯＤＵＣｎフレーマ２８０は、ＯＰＵＣｎフレーマ２７０から出力されたＯＰＵＣｎフレームをＯＤＵＣｎフレームに変換し、変換したＯＤＵＣｎフレームをＯＴＵＣｎフレーマ２９０へ出力する。
【００６０】
ＯＴＵＣｎフレーマ２９０は、ＯＤＵＣｎフレーマ２８０から出力されたＯＤＵＣｎフレームをＯＴＵＣｎフレームに変換し、変換したＯＴＵＣｎフレームを出力する。ＯＴＵＣｎフレーマ２９０から出力されたＯＴＵＣｎフレームは、たとえば、複数のＯＴＵＣｎサブフレームとしてそれぞれ複数の物理回線を介して第２伝送装置１２０へ伝送される。
【００６１】
（実施の形態にかかる第２伝送装置）
図３は、実施の形態にかかる第２伝送装置の一例を示す図である。図１に示した受信側の第２伝送装置１２０は、たとえば図３に示す第２伝送装置１２０により実現することができる。図３に示す第２伝送装置１２０は、たとえば、ＯＴＵＣｎデフレーマ３１０（ＯＴＵＣｎ）と、ＯＤＵＣｎデフレーマ３２０（ＯＤＵＣｎ）と、ＯＰＵＣｎデフレーマ３３０（ＯＰＵＣｎ）と、を備える。また、第２伝送装置１２０は、ＯＤＴＵＧＣｎデフレーマ３４０（ＯＤＴＵＧＣｎ）と、ＯＤＴＵＣｎデフレーマ３５１，３５２（ＯＤＴＵＣｎ．ｔｓ）と、を備える。また、第２伝送装置１２０は、デマルチプレクサ３６０（ＯＤＵｆｌｅｘ  ｄｅ−ｍｕｌｔｉｐｌｅｘ）と、ＯＤＵフレックスデフレーマ３７１，３７２（ＯＤＵｆｌｅｘ）と、変換部３８１（６６ｂ  ｔｏ  ２５７ｂ）と、を備える。
【００６２】
図１に示した受信部１２１は、たとえばＯＴＵＣｎデフレーマ３１０により実現することができる。図１に示した抽出部１２２は、図３に示す各構成のうちＯＴＵＣｎデフレーマ３１０、Ｔｒｉｂｕｔａｒｙ  Ｐｏｒｔ＃１およびＴｒｉｂｕｔａｒｙ  Ｐｏｒｔ＃２を除く構成により実現することができる。
【００６３】
図３に示す例では、第２伝送装置１２０は２つのポート（Ｔｒｉｂｕｔａｒｙ  Ｐｏｒｔ＃１およびＴｒｉｂｕｔａｒｙ  Ｐｏｒｔ＃２）を有する。そして、第２伝送装置１２０は、図２に示した第１伝送装置１１０のＴｒｉｂｕｔａｒｙ  Ｐｏｒｔ＃１へ入力されたイーサネットデータを第２伝送装置１２０のＴｒｉｂｕｔａｒｙ  Ｐｏｒｔ＃１から出力する。また、第２伝送装置１２０は、図２に示した第１伝送装置１１０のＴｒｉｂｕｔａｒｙ  Ｐｏｒｔ＃２へ入力されたイーサネットデータを第２伝送装置１２０のＴｒｉｂｕｔａｒｙ  Ｐｏｒｔ＃２から出力する。
【００６４】
まず、ＯＴＵＣｎデフレーマ３１０には、第１伝送装置１１０から、それぞれ複数の物理回線を介して複数のＯＴＵＣｎサブフレームとして伝送されたＯＴＵＣｎフレームが入力される。ＯＴＵＣｎデフレーマ３１０は、入力されたＯＴＵＣｎフレームをＯＤＵＣｎフレームに変換する。そして、ＯＴＵＣｎデフレーマ３１０は、変換したＯＤＵＣｎフレームをＯＤＵＣｎデフレーマ３２０へ出力する。
【００６５】
ＯＤＵＣｎデフレーマ３２０は、ＯＴＵＣｎデフレーマ３１０から出力されたＯＤＵＣｎフレームをＯＰＵＣｎフレームに変換し、変換したＯＰＵＣｎフレームをＯＰＵＣｎデフレーマ３３０へ出力する。ＯＰＵＣｎデフレーマ３３０は、ＯＤＵＣｎデフレーマ３２０から出力されたＯＰＵＣｎフレームをＯＤＴＵＧＣｎフレームに変換し、変換したＯＤＴＵＧＣｎフレームをＯＤＴＵＧＣｎデフレーマ３４０へ出力する。
【００６６】
ＯＤＴＵＧＣｎデフレーマ３４０は、ＯＰＵＣｎデフレーマ３３０から出力されたＯＤＴＵＧＣｎフレームを時間分割多重分離（ｔｉｍｅ−ｄｉｖｉｓｉｏｎ  ｄｅ−ｍｕｌｔｉｐｌｅｘ）することによりＯＤＴＵＣｎフレームに変換する。そして、ＯＤＴＵＧＣｎデフレーマ３４０は、変換したＯＤＴＵＣｎフレームのうち、ＴＳ＃１〜＃２０に対応するＯＤＴＵＣｎフレームをＯＤＴＵＣｎデフレーマ３５１へ出力する。また、ＯＤＴＵＧＣｎデフレーマ３４０は、変換したＯＤＴＵＣｎフレームのうち、ＴＳ＃２１〜＃１００に対応するＯＤＴＵＣｎフレームをＯＤＴＵＣｎデフレーマ３５２へ出力する。
【００６７】
ＯＤＴＵＣｎデフレーマ３５１は、ＯＤＴＵＧＣｎデフレーマ３４０から出力されたＴＳ＃１〜＃２０に対応するＯＤＴＵＣｎフレームをＯＤＵフレックスフレームに変換する。そして、ＯＤＴＵＣｎデフレーマ３５１は、変換したＯＤＵフレックスフレームをデマルチプレクサ３６０へ出力する。
【００６８】
ＯＤＴＵＣｎデフレーマ３５２は、ＯＤＴＵＧＣｎデフレーマ３４０から出力されたＴＳ＃２１〜＃１００に対応するＯＤＴＵＣｎフレームをＯＤＵフレックスフレームに変換する。そして、ＯＤＴＵＣｎデフレーマ３５２は、変換したＯＤＵフレックスフレームをデマルチプレクサ３６０へ出力する。
【００６９】
デマルチプレクサ３６０は、ＯＤＴＵＣｎデフレーマ３５１，３５２から出力された各ＯＤＵフレックスフレームに対応する各ＴＰ（たとえばＴｒｉｂｕｔａｒｙ  Ｐｏｒｔ＃１，Ｔｒｉｂｕｔａｒｙ  Ｐｏｒｔ＃２）を、各ＯＤＵフレックスフレームに含まれるＭＳＩに基づいて判定する。たとえば、デマルチプレクサ３６０は、ＴＳ＃１〜＃２０に対応するＯＤＵフレックスフレームのうちＯＨに行先ポート情報が付与されていないＯＤＵフレックスフレームについてはＴＰがＴｒｉｂｕｔａｒｙ  Ｐｏｒｔ＃１であると判定する。また、デマルチプレクサ３６０は、ＴＳ＃２１〜＃１００に対応するＯＤＵフレックスフレームのうちＯＨに行先ポート情報が付与されていないＯＤＵフレックスフレームについてはＴＰがＴｒｉｂｕｔａｒｙ  Ｐｏｒｔ＃２であると判定する。
【００７０】
また、デマルチプレクサ３６０は、行先ポート情報がＯＨに付与されているＯＤＵフレックスフレームについては、そのＯＤＵフレックスフレームのＴＰを、そのＯＤＵフレックスフレームのＯＨに付与された行先ポート情報に基づいて判定する。
【００７１】
そして、デマルチプレクサ３６０は、各ＯＤＵフレックスフレームを、ＯＤＵフレックスデフレーマ３７１，３７２のうち判定したＴＰに応じたＯＤＵフレックスデフレーマへ出力する。たとえば、デマルチプレクサ３６０は、ＴＰがＴｒｉｂｕｔａｒｙ  Ｐｏｒｔ＃１であると判定したＯＤＵフレックスフレームをＯＤＵフレックスデフレーマ３７１へ出力する。また、デマルチプレクサ３６０は、ＴＰがＴｒｉｂｕｔａｒｙ  Ｐｏｒｔ＃２であると判定したＯＤＵフレックスフレームをＯＤＵフレックスデフレーマ３７２へ出力する。
【００７２】
ＯＤＵフレックスデフレーマ３７１は、デマルチプレクサ３６０から出力されたＯＤＵフレックスフレームをイーサネットデータ（たとえばＭＡＣフレーム）に変換（デマップ）する。そして、ＯＤＵフレックスデフレーマ３７１は、変換したイーサネットデータを、１００ＧＢＡＳＥ−Ｒの仕様のイーサネットデータとして、パケット間に最低９６ビットのＩＤＬＥ信号が挿入されるようにＴｒｉｂｕｔａｒｙ  Ｐｏｒｔ＃１から出力する。
【００７３】
同様に、ＯＤＵフレックスデフレーマ３７２は、デマルチプレクサ３６０から出力されたＯＤＵフレックスフレームをイーサネットデータに変換する。そして、ＯＤＵフレックスデフレーマ３７２は、変換したイーサネットデータを、パケット間に最低９６ビットのＩＤＬＥ信号が挿入されるように変換部３８１へ出力する。
【００７４】
変換部３８１は、ＯＤＵフレックスデフレーマ３７２から出力されたイーサネットデータ（６６ビット）を２５７ビットのイーサネットデータに変換する。そして、変換部３８１は、変換したイーサネットデータを、４００ＧＢＡＳＥ−Ｒの仕様のイーサネットデータとしてＴｒｉｂｕｔａｒｙ  Ｐｏｒｔ＃２から出力する。
【００７５】
（実施の形態にかかる伝送システムにおいて伝送されるＯＴＵＣｎフレーム）
図４は、実施の形態にかかる伝送システムにおいて伝送されるＯＴＵＣｎフレームの一例を示す図である。第１伝送装置１１０は、たとえば図４に示すＯＴＵＣｎフレーム４００を第２伝送装置１２０へ伝送する。ＯＴＵＣｎフレーム４００のＯＰＵＣ  ＯＨのＰＳＩ４１０にはＭＳＩ４１１が含まれる。ＯＰＵＣはＯｐｔｉｃａｌ−ｃｈａｎｎｅｌ  Ｐａｙｌｏａｄ  Ｕｎｉｔの略である。ＰＳＩはＰａｙｌｏａｄ  Ｓｔｒｕｃｔｕｒｅ  Ｉｄｅｎｔｉｆｉｅｒの略である。
【００７６】
ＭＳＩ４１１は、ＴＳとＴＰとを対応付けるオーバヘッド（対応情報）である（たとえば図５参照）。たとえば、ＭＳＩ４１１は、２５６フレーム周期で伝送され、２５６個のＯＴＵＣｎフレーム４００のＰＳＩ４１０を結合することによって得られる。
【００７７】
ＯＴＵＣｎフレーム４００のペイロード４２０（ＯＰＵＣ  ｐａｙｌｏａｄ）には、たとえば上述したイーサネットデータが格納される。たとえば、ペイロード４２０には複数のＴＳが含まれており、イーサネットデータはＯＤＵフレックスフレームとしてペイロード４２０の各ＴＳに割り当てられる。
【００７８】
（実施の形態にかかる伝送システムにおいて伝送されるＯＴＵＣｎフレームに含まれるＭＳＩ）
図５は、実施の形態にかかる伝送システムにおいて伝送されるＯＴＵＣｎフレームに含まれるＭＳＩの一例を示す図である。図４に示したＭＳＩ４１１は、たとえば、図５に示すように、ＴＳ＃１〜＃１００と、ＴＰ（Ｔｒｉｂｕｔａｒｙ  Ｐｏｒｔ＃１またはＴｒｉｂｕｔａｒｙ  Ｐｏｒｔ＃２）と、を対応付ける。すなわち、ＭＳＩ４１１は、ＯＴＵＣｎフレーム４００のペイロードのＴＳ＃１〜＃１００のそれぞれについて、そのＴＳに格納されたフレーム（たとえばＯＤＵフレックスフレーム）がいずれのポートに対応するかを示す情報である。
【００７９】
図５に示す例では、ＴＳ＃１〜＃２０はＴｒｉｂｕｔａｒｙ  Ｐｏｒｔ＃１と対応付けられ、ＴＳ＃２１〜＃１００はＴｒｉｂｕｔａｒｙ  Ｐｏｒｔ＃２と対応付けられている。第２伝送装置１２０のデマルチプレクサ３６０は、行先ポート情報が付与されていないＯＤＵフレックスフレームについては、そのＯＤＵフレックスフレームが格納されていたＴＳと、ＭＳＩ４１１と、に基づいて出力ポートを判定する。
【００８０】
たとえば、デマルチプレクサ３６０は、ＯＤＴＵＣｎデフレーマ３５１から出力されたＴＳ＃１〜＃２０に対応するＯＤＵフレックスフレーム（行先ポート情報なし）については、Ｔｒｉｂｕｔａｒｙ  Ｐｏｒｔ＃１に対応するＯＤＵフレックスデフレーマ３７１へ出力する。また、デマルチプレクサ３６０は、ＯＤＴＵＣｎデフレーマ３５２から出力されたＴＳ＃２１〜＃１００に対応するＯＤＵフレックスフレーム（行先ポート情報なし）については、Ｔｒｉｂｕｔａｒｙ  Ｐｏｒｔ＃２に対応するＯＤＵフレックスデフレーマ３７２へ出力する。
【００８１】
（実施の形態にかかる第１伝送装置による処理）
図６は、実施の形態にかかる第１伝送装置による処理の一例を示すフローチャートである。実施の形態にかかる送信側の第１伝送装置１１０は、たとえば図６に示す各ステップを実行する。まず、第１伝送装置１１０は、第２伝送装置１２０との間の各物理回線（たとえば第１〜第５物理回線）のいずれかに障害が発生しているか否かを判断する（ステップＳ６０１）。ステップＳ６０１の判断は、たとえばマルチプレクサ２４０によって実行される。たとえば、マルチプレクサ２４０は、光モジュールから出力される回線障害情報に基づいて、各物理回線のいずれかに障害が発生しているか否かを判断する。
【００８２】
ステップＳ６０１において、障害が発生していないと判断した場合（ステップＳ６０１：Ｎｏ）は、第１伝送装置１１０は、アイドル信号分だけＯＤＵフレックスフレームの帯域圧縮を行う（ステップＳ６０２）。ステップＳ６０２は、たとえば、ＯＤＵフレックスフレーマ２３１，２３２がそれぞれバッファ２２１，２２２からイーサネットデータを読み出す際にアイドル信号を除去することによって実行される。
【００８３】
つぎに、第１伝送装置１１０は、各ＯＤＵフレックスフレームを各物理回線に多重し（ステップＳ６０３）、ステップＳ６０１へ戻る。ステップＳ６０３は、たとえばマルチプレクサ２４０が各ＯＤＵフレックスフレームをＴＳ＃１〜＃１００に割り当てることによって実行される。たとえば、マルチプレクサ２４０は、ＯＤＵフレックスフレーマ２３１からの各ＯＤＵフレックスフレームをＴＳ＃１〜＃２０に割り当てる。また、マルチプレクサ２４０は、ＯＤＵフレックスフレーマ２３２からの各ＯＤＵフレックスフレームをＴＳ＃２１〜＃１００に割り当てる。
【００８４】
ステップＳ６０１において、障害が発生したと判断すると（ステップＳ６０１：Ｙｅｓ）、第１伝送装置１１０は、各物理回線のうち障害が発生した１個以上の障害回線を特定する（ステップＳ６０４）。ステップＳ６０４は、たとえばマルチプレクサ２４０が回線障害情報を参照することによって実行される。
【００８５】
つぎに、第１伝送装置１１０は、回線使用率情報に基づいて、障害回線の救済に要する所要ＴＳ数を算出する（ステップＳ６０５）。ステップＳ６０５は、たとえばマルチプレクサ２４０により実行される。たとえば、マルチプレクサ２４０は、ステップＳ６０４によって特定した障害回線ごとに、ＴＳ数＝（物理回線あたりの伝送容量）×（障害回線の回線使用率）÷（ＴＳあたりの伝送容量）を算出する。そして、マルチプレクサ２４０は、障害回線ごとに算出したＴＳ数を合計することにより、障害回線の救済に要する所要ＴＳ数を算出する。
【００８６】
物理回線あたりの伝送容量は、たとえば１００［Ｇｂｐｓ］である。ＴＳあたりの伝送容量は、たとえば５［Ｇｂｐｓ］である。また、障害回線が第１物理回線である場合は、障害回線の回線使用率にはたとえばモニタ２１１によってモニタされた回線使用率を用いることができる。また、障害回線が第２〜第４物理回線である場合は、障害回線の回線使用率にはたとえばモニタ２１２によってモニタされた回線使用率を用いることができる。
【００８７】
つぎに、第１伝送装置１１０は、ステップＳ６０５によって算出された所要ＴＳ数に基づいて、各物理回線のうち、ステップＳ６０４によって特定した障害回線とは異なる物理回線の中から、障害の救済に使用する救済回線を決定する（ステップＳ６０６）。ステップＳ６０６は、たとえばマルチプレクサ２４０によって実行される。
【００８８】
たとえば、マルチプレクサ２４０は、各物理回線のうち障害回線とは異なる物理回線を救済回線候補とし、救済回線候補のそれぞれについて、空きＴＳ数＝（物理回線あたりの伝送容量）×（救済回線候補の回線空き率）÷（ＴＳあたりの伝送容量）を算出する。そして、マルチプレクサ２４０は、各救済回線候補について算出した空きＴＳ数を、累積値が所要ＴＳに達するまで累積加算し、累積値が所要ＴＳに達するまでに加算した空きＴＳ数に対応する各救済回線候補を救済回線として決定する。
【００８９】
救済回線候補が第１物理回線である場合は、救済回線候補の回線空き率は、たとえばモニタ２１１によってモニタされた回線使用率［％］を１００［％］から減じることにより得られる。また、救済回線候補が第２〜第４物理回線である場合は、救済回線候補の回線空き率は、たとえばモニタ２１２によってモニタされた回線使用率［％］を１００［％］から減じることにより得られる。
【００９０】
つぎに、第１伝送装置１１０は、アイドル信号分だけＯＤＵフレックスフレームの帯域圧縮を行う（ステップＳ６０７）。ステップＳ６０７による帯域圧縮は、ステップＳ６０２による帯域圧縮と同様である。
【００９１】
つぎに、第１伝送装置１１０は、障害回線のＯＤＵフレックスフレームのＯＨ（オーバヘッド）に行先ポート情報を付与する（ステップＳ６０８）。ステップＳ６０８は、たとえばマルチプレクサ２４０によって実行される。たとえば、第１伝送装置１１０は、障害回線のＯＤＵフレックスフレームがＯＤＵフレックスフレーマ２３１からのＯＤＵフレックスフレーム（Ｔｒｉｂｕｔａｒｙ  Ｐｏｒｔ＃１のデータ）である場合は、Ｔｒｉｂｕｔａｒｙ  Ｐｏｒｔ＃１を示す行先ポート情報を付与する。また、第１伝送装置１１０は、障害回線のＯＤＵフレックスフレームがＯＤＵフレックスフレーマ２３２からのＯＤＵフレックスフレーム（Ｔｒｉｂｕｔａｒｙ  Ｐｏｒｔ＃２のデータ）である場合は、Ｔｒｉｂｕｔａｒｙ  Ｐｏｒｔ＃２を示す行先ポート情報を付与する。
【００９２】
つぎに、第１伝送装置１１０は、ステップＳ６０８によって行先ポート情報を付与した障害回線のＯＤＵフレックスフレームを救済回線に多重し（ステップＳ６０９）、ステップＳ６０１へ戻る。ステップＳ６０９は、たとえば、マルチプレクサ２４０が、障害回線に対応するＴＳに割り当てていたＯＤＵフレックスフレームを、救済回線に対応するＴＳに割り当てることにより実行される。また、マルチプレクサ２４０は、障害が発生していない物理回線に対応するＴＳに割り当てていたＯＤＵフレックスフレームについてはＴＳへの割り当てを変更しない。
【００９３】
図６に示す例では、回線使用率情報に基づいて所要ＴＳ数を算出し、算出した所要ＴＳ数に基づいて救済回線を決定し、決定した救済回線を用いて障害回線のＯＤＵフレックスフレームを救済する処理について説明したが、このような処理に限らない。
【００９４】
たとえば、障害回線を除く各物理回線を救済回線として決定し、回線使用率情報に基づいて各救済回線への多重比率を決定する処理としてもよい。または、障害回線を除く各物理回線のうち、回線使用率情報に基づいて決定した一部の各物理回線を救済回線として決定する処理としてもよい。
【００９５】
（実施の形態にかかる第２伝送装置による処理）
図７は、実施の形態にかかる第２伝送装置による処理の一例を示すフローチャートである。実施の形態にかかる受信側の第２伝送装置１２０は、たとえば図７に示す各ステップを実行する。まず、第２伝送装置１２０は、第１伝送装置１１０から受信したＯＤＵフレックスフレームのＯＨに行先ポート情報が付与されているか否かを判断する（ステップＳ７０１）。ステップＳ７０１は、たとえばデマルチプレクサ３６０が、受信したＯＤＵフレックスフレームのＯＨを参照することによって実行される。
【００９６】
ステップＳ７０１において、行先ポート情報が付与されていないと判断すると（ステップＳ７０１：Ｎｏ）、第２伝送装置１２０は、ステップＳ７０２へ移行する。すなわち、第２伝送装置１２０は、受信したＯＤＵフレックスフレームをＭＳＩに応じたＯＤＵフレックスデフレーマへ出力する（ステップＳ７０２）。ステップＳ７０２は、たとえばデマルチプレクサ３６０により実行される。
【００９７】
たとえば、デマルチプレクサ３６０は、ＯＤＴＵＣｎデフレーマ３５１から出力されたＴＳ＃１〜＃２０に対応するＯＤＵフレックスフレームについては、ＭＳＩに基づいてＯＤＵフレックスデフレーマ３７１へ出力する。また、デマルチプレクサ３６０は、ＯＤＴＵＣｎデフレーマ３５２から出力されたＴＳ＃２１〜＃１００に対応するＯＤＵフレックスフレームについてはＭＳＩに基づいてＯＤＵフレックスデフレーマ３７２へ出力する。
【００９８】
つぎに、第２伝送装置１２０は、受信したＯＤＵフレックスフレームからイーサネットデータを抽出する（ステップＳ７０３）。ステップＳ７０２は、たとえばＯＤＵフレックスデフレーマ３７１，３７２のうちステップＳ７０２においてＯＤＵフレックスフレームの出力先となったＯＤＵフレックスデフレーマにより実行される。
【００９９】
つぎに、第２伝送装置１２０は、ステップＳ７０３によって抽出したイーサネットデータのパケット間に９６ビットのアイドル信号を挿入し（ステップＳ７０４）、ステップＳ７０１へ戻る。ステップＳ７０４は、たとえばＯＤＵフレックスデフレーマ３７１，３７２のうちステップＳ７０２においてＯＤＵフレックスフレームの出力先となったＯＤＵフレックスデフレーマにより実行される。
【０１００】
ステップＳ７０１において、行先ポート情報が付与されていると判断すると（ステップＳ７０１：Ｙｅｓ）、第２伝送装置１２０は、ステップＳ７０５へ移行する。すなわち、第２伝送装置１２０は、受信したＯＤＵフレックスフレームを、その行先ポート情報に応じたＯＤＵフレックスデフレーマのポートに出力する（ステップＳ７０５）。ステップＳ７０５は、たとえばデマルチプレクサ３６０により実行される。
【０１０１】
たとえば、デマルチプレクサ３６０は、行先ポート情報がＴｒｉｂｕｔａｒｙ  Ｐｏｒｔ＃１を示す場合は、受信したＯＤＵフレックスフレームをＯＤＵフレックスデフレーマ３７１へ出力する。また、デマルチプレクサ３６０は、行先ポート情報がＴｒｉｂｕｔａｒｙ  Ｐｏｒｔ＃２を示す場合は、受信したＯＤＵフレックスフレームをＯＤＵフレックスデフレーマ３７２へ出力する。
【０１０２】
つぎに、第２伝送装置１２０は、受信したＯＤＵフレックスフレームからイーサネットデータを抽出する（ステップＳ７０６）。ステップＳ７０６によるイーサネットデータの抽出は、たとえばステップＳ７０３によるイーサネットデータの抽出と同様である。つぎに、第２伝送装置１２０は、ステップＳ７０６によって抽出したイーサネットデータのパケット間に９６ビットのアイドル信号を挿入し（ステップＳ７０７）、ステップＳ７０１へ戻る。ステップＳ７０７によるアイドル信号の挿入は、たとえばステップＳ７０４によるアイドル信号の挿入と同様である。
【０１０３】
（実施の形態にかかる伝送システムにおけるＯＴＵＣｎフレームの伝送）
図８は、実施の形態にかかる伝送システムにおけるＯＴＵＣｎフレームの伝送の一例を示す図である。図８において、物理回線８０１〜８０５（１００Ｇ）は、それぞれ１００［Ｇｂｐｓ］の帯域を有し、たとえば上述した回線１０１〜１０ｎ（ｎ＝４）や、第１〜第５物理回線に相当する。図８に示す例においては、物理回線８０１〜８０５のいずれにおいても障害が発生していないとする。
【０１０４】
この場合に、第１伝送装置１１０の入力ポート８１１（Ｔｒｉｂｕｔａｒｙ  Ｐｏｒｔ＃１）から入力された１００ＧＥのイーサネットデータは、アイドル信号の除去により帯域圧縮されてＯＤＵフレックスフレーム８２１（ＯＤＵｆｌｅｘ）に変換される。また、ＯＤＵフレックスフレーム８２１は、ＯＤＴＵＣｎフレーム８３１（ＯＤＴＵＣｎ）に変換される。また、ＯＤＴＵＣｎフレーム８３１は、ＯＴＵＣｎフレーム８４０（ＯＴＵＣｎ）におけるＴＳ＃１〜＃２０（２０ＴＳ）に割り当てられ、物理回線８０１によって伝送される。
【０１０５】
また、入力ポート８１２（Ｔｒｉｂｕｔａｒｙ  Ｐｏｒｔ＃２）から入力された４００ＧＥのイーサネットデータは、アイドル信号の除去により帯域圧縮されてＯＤＵフレックスフレーム８２２（ＯＤＵｆｌｅｘ）に変換される。また、ＯＤＵフレックスフレーム８２２は、ＯＤＴＵＣｎフレーム８３２（ＯＤＴＵＣｎ）に変換される。また、ＯＤＴＵＣｎフレーム８３２は、ＯＴＵＣｎフレーム８４０（ＯＴＵＣｎ）におけるＴＳ＃２１〜＃１００（８０ＴＳ）に割り当てられ、物理回線８０２〜８０５によって伝送される。
【０１０６】
第２伝送装置１２０は、物理回線８０１〜８０５を介してＯＴＵＣｎフレーム８４０を受信する。また、ＯＴＵＣｎフレーム８４０におけるＴＳ＃１〜＃２０（２０ＴＳ）からＯＤＴＵＣｎフレーム８３１が抽出され、ＯＤＴＵＣｎフレーム８３１からＯＤＵフレックスフレーム８２１が抽出される。また、ＯＤＵフレックスフレーム８２１から抽出された１００ＧＥのイーサネットデータが出力ポート８５１（Ｔｒｉｂｕｔａｒｙ  Ｐｏｒｔ＃１）から出力される。
【０１０７】
また、ＯＴＵＣｎフレーム８４０におけるＴＳ＃２１〜＃１００（８０ＴＳ）からＯＤＴＵＣｎフレーム８３２が抽出され、ＯＤＴＵＣｎフレーム８３２からＯＤＵフレックスフレーム８２２が抽出される。また、ＯＤＵフレックスフレーム８２２から抽出された４００ＧＥのイーサネットデータが出力ポート８５２（Ｔｒｉｂｕｔａｒｙ  Ｐｏｒｔ＃２）から出力される。
【０１０８】
（実施の形態にかかる伝送システムにおける一部の物理回線の故障および救済）
図９は、実施の形態にかかる伝送システムにおける一部の物理回線の故障および救済の一例を示す図である。図９において、図８に示した部分と同様の部分については同一の符号を付して説明を省略する。図９に示す例では、物理回線８０１〜８０５のうち物理回線８０４，８０５に障害が発生したとする。
【０１０９】
この場合に、物理回線８０４，８０５によって伝送されていた、ＯＴＵＣｎフレーム８４０におけるＴＳ＃６１〜＃１００（４０ＴＳ）が伝送できなくなる。一方、物理回線８０１〜８０３によって伝送される、ＯＴＵＣｎフレーム８４０におけるＴＳ＃１〜＃６０（６０ＴＳ）は伝送可能である。
【０１１０】
第１伝送装置１１０は、ＯＤＵフレックスフレーム８２２のうちＴＳ＃６１〜＃１００に割り当てていたＯＤＵフレックスフレームを、マルチプレクサ２４０によってＴＳ＃１〜＃６０に割り当てることによってＯＤＴＵＣｎフレーム８３１に変換する。また、第１伝送装置１１０は、ＯＤＵフレックスフレーム８２２のうちＴＳ＃１〜＃６０に割り当てたＯＤＵフレックスフレームのＯＨに、入力ポート８１２に対応する出力ポート８５２（Ｔｒｉｂｕｔａｒｙ  Ｐｏｒｔ＃２）を示す行先ポート情報を付与する。
【０１１１】
これにより、ＯＴＵＣｎフレーム８４０におけるＴＳ＃１〜＃６０（６０ＴＳ）を用いて、物理回線８０１〜８０３を介して、ＯＤＵフレックスフレーム８２１，８２２が伝送される。このとき、ＯＤＵフレックスフレーム８２２は、ＯＴＵＣｎフレーム８４０におけるＴＳ＃１〜＃６０（６０ＴＳ）のうちの任意のＴＳに割り当てることが可能である。
【０１１２】
第２伝送装置１２０は、ＯＤＴＵＣｎフレーム８３１から抽出したＯＤＵフレックスフレームのうち、出力ポート８５２（Ｔｒｉｂｕｔａｒｙ  Ｐｏｒｔ＃２）を示す行先ポート情報がＯＨに付与されたＯＤＵフレックスフレームをＯＤＵフレックスフレーム８２２とする。これにより、たとえばＴＳ＃１〜２０に割り当てられ物理回線８０１によって伝送されたＯＤＵフレックスフレーム８２２についても出力ポート８５２から出力することができる。
【０１１３】
（実施の形態にかかる伝送システムにおける救済回線へのデータの割り振り）
図１０は、実施の形態にかかる伝送システムにおける救済回線へのデータの割り振りの一例を示す図である。図１０に示す例では、第１伝送装置１１０および第２伝送装置１２０には、それぞれＴＰとして４個のＰｏｒｔ＃１〜＃４があるとする。ＯＤＵフレックスフレーム１０１１〜１０１４は、それぞれ第１伝送装置１１０のＰｏｒｔ＃１〜＃４から入力されたデータを格納したＯＤＵフレックスフレームである。
【０１１４】
また、図１０に示す例では、第１伝送装置１１０および第２伝送装置１２０は物理回線１０２１〜１０２４によって互いに接続されている。そして、物理回線１０２１〜１０２４のいずれにも障害が発生していない場合は、ＯＤＵフレックスフレーム１０１１〜１０１４がそれぞれ物理回線１０２１〜１０２４により伝送される。
【０１１５】
電光変換部１０３１〜１０３４（Ｅ／Ｏ）は、それぞれ物理回線１０２１〜１０２４により伝送する光信号を生成する第１伝送装置１１０の送信端である。電光変換部１０３１〜１０３４は、たとえばＬＤ（Ｌａｓｅｒ  Ｄｉｏｄｅ：レーザダイオード）等により実現することができる。電光変換部１０３１〜１０３４は、生成した光信号をそれぞれ物理回線１０２１〜１０２４へ出射する。
【０１１６】
光電変換部１０４１〜１０４４（Ｏ／Ｅ）は、それぞれ物理回線１０２１〜１０２４により伝送された光信号を電気信号に変換する第２伝送装置１２０の受信端である。光電変換部１０４１〜１０４４は、たとえばＰＤ（Ｐｈｏｔｏ  Ｄｅｔｅｃｔｏｒ）により実現することができる。
【０１１７】
たとえば、物理回線１０２１〜１０２４のうちの物理回線１０２１において障害が発生したとする。この場合に、第１伝送装置１１０は、物理回線１０２１によって伝送していたＯＤＵフレックスフレーム１０１１を、物理回線１０２２〜１０２４に振り分けて伝送する。また、第１伝送装置１１０は、Ｐｏｒｔ＃１〜＃４の各回線使用率に基づいて物理回線１０２２〜１０２４の各回線使用率を推定した結果に応じて、物理回線１０２２〜１０２４に対してＯＤＵフレックスフレーム１０１１を振り分ける比率を動的に決定する。
【０１１８】
図１０において、ＯＤＵフレックスフレーム１０１１〜１０１４の流れを示す矢印の太さは回線使用率の高さを表している。すなわち、それぞれＯＤＵフレックスフレーム１０１２〜１０１４が伝送される物理回線１０２２〜１０２４の回線使用率は、物理回線１０２２、物理回線１０２３、物理回線１０２４の順に高い。
【０１１９】
この場合に、第１伝送装置１１０は、ＯＤＵフレックスフレーム１０１１を割り振る比率を、物理回線１０２４、物理回線１０２３、物理回線１０２２の順に高く設定する。これにより、物理回線１０２２〜１０２４のうち回線空き率が高い物理回線ほど多くのＯＤＵフレックスフレーム１０１１を割り振り、ＯＤＵフレックスフレーム１０１１〜１０１４を効率よく伝送することができる。
【０１２０】
また、第１伝送装置１１０は、ＯＤＵフレックスフレーム１０１１のＯＨに対して、Ｐｏｒｔ＃１を示す行先ポート情報を付与（ラベリング）する。第２伝送装置１２０は、物理回線１０２２〜１０２４によって伝送されたＯＤＵフレックスフレームのうちＰｏｒｔ＃１を示す行先ポート情報が付与されたＯＤＵフレックスフレームを、Ｐｏｒｔ＃１に対応するＯＤＵフレックスフレーム１０１１として取得する。
【０１２１】
（実施の形態にかかるＯＤＵフレックスフレーム）
図１１は、実施の形態にかかるＯＤＵフレックスフレームの一例を示す図である。たとえば、第１伝送装置１１０は、イーサネットデータからアイドル信号を除いて抽出した有効データを、図１１に示すＯＤＵフレックスフレーム１１００のペイロード１１１０に格納する。そして、ＯＤＵフレックスフレーム１１００は、一部の物理回線に障害が発生した場合は、ＯＤＵフレックスフレーム１１００の段階で回線の切り替えを行う。
【０１２２】
また、第１伝送装置１１０は、障害回線に対応するＴＳに割り当てていたＯＤＵフレックスフレーム１１００については、ＯＤＵフレックスフレーム１１００のポートを示す行先ポート情報を、たとえばオーバヘッド１１２１，１１２２に付与する。
【０１２３】
また、第２伝送装置１２０は、受信したＯＤＵフレックスフレーム１１００のペイロード１１１０からイーサネットデータの有効データを抽出する。また、第２伝送装置１２０は、受信したＯＤＵフレックスフレーム１１００のオーバヘッド１１２１，１１２２に行先ポート情報が含まれていた場合は、そのＯＤＵフレックスフレーム１１００を行先ポート情報が示す出力ポートから出力する。
【０１２４】
（実施の形態にかかるＯＤＴＵＣｎフレームおよびＯＰＵＣｎ／ＯＤＵＣｎ／ＯＴＵＣｎフレーム）
図１２は、実施の形態にかかるＯＤＴＵＣｎフレームおよびＯＰＵＣｎ／ＯＤＵＣｎ／ＯＴＵＣｎフレームの一例を示す図である。第１伝送装置１１０は、図１１に示したＯＤＵフレックスフレーム１１００をたとえば図１２に示すＯＤＴＵＣｎフレーム１２１０の各ＴＳ（ｔｓ）にマッピングする。また、第１伝送装置１１０は、ＯＤＵフレックスフレーム１１００をマッピングしたＯＤＴＵＣｎフレーム１２１０をＯＰＵＣｎ／ＯＤＵＣｎ／ＯＴＵＣｎフレーム１２２１，１２２２，…，１２２ｎ（サブフレーム）に変換する。
【０１２５】
そして、第１伝送装置１１０は、変換したＯＰＵＣｎ／ＯＤＵＣｎ／ＯＴＵＣｎフレーム１２２１，１２２２，…，１２２ｎを複数の物理回線によってそれぞれ伝送する。たとえば、第１伝送装置１１０は、ＯＰＵＣｎ／ＯＤＵＣｎ／ＯＴＵＣｎフレーム１２２１，１２２２，…，１２２ｎをそれぞれ図１０に示した電光変換部１０３１〜１０３４から伝送する（ｎ＝４の場合）。
【０１２６】
第２伝送装置１２０は、複数の物理回線を介してＯＰＵＣｎ／ＯＤＵＣｎ／ＯＴＵＣｎフレーム１２２１，１２２２，…，１２２ｎを受信する。また、第２伝送装置１２０は、受信したＯＰＵＣｎ／ＯＤＵＣｎ／ＯＴＵＣｎフレーム１２２１，１２２２，…，１２２ｎからＯＤＴＵＣｎフレーム１２１０を抽出する。そして、第２伝送装置１２０は、抽出したＯＤＴＵＣｎフレーム１２１０から図１１に示したＯＤＵフレックスフレーム１１００を抽出する。
【０１２７】
（実施の形態にかかる各伝送装置のハードウェア構成）
図１３は、実施の形態にかかる各伝送装置のハードウェア構成の一例を示す図である。第１伝送装置１１０および第２伝送装置１２０のそれぞれは、たとえば図１３に示す伝送装置１３００により実現することができる。
【０１２８】
伝送装置１３００は、たとえば、主信号処理回路１３１０と、光モジュール１３２１，１３２２，１３３０と、を備える。さらに、伝送装置１３００は、主信号処理回路１３１０や光モジュール１３２１，１３２２，１３３０を制御する装置ＣＰＵや、装置ＣＰＵがアクセス可能なメモリ等を備えていてもよい。ＣＰＵはＣｅｎｔｒａｌ  Ｐｒｏｃｅｓｓｉｎｇ  Ｕｎｉｔ（中央処理装置）の略である。
【０１２９】
メモリには、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、装置ＣＰＵのワークエリアとして使用される。補助メモリは、たとえば磁気ディスク、光ディスク、フラッシュメモリなどの不揮発性メモリである。補助メモリには、伝送装置１３００を動作させる各種のプログラムが記憶されている。補助メモリに記憶されたプログラムは、メインメモリにロードされて装置ＣＰＵにより実行される。
【０１３０】
伝送装置１３００を図２に示した第１伝送装置１１０に適用する場合に、図２に示した第１伝送装置１１０の各構成は、たとえば主信号処理回路１３１０により実現することができる。伝送装置１３００を図３に示した第２伝送装置１２０に適用する場合に、図３に示した第２伝送装置１２０の各構成は、たとえば主信号処理回路１３１０により実現することができる。
【０１３１】
主信号処理回路１３１０は、光モジュール１３２１，１３２２，１３３０との間で高速信号線を介して接続されている。そして、主信号処理回路１３１０は、光モジュール１３２１，１３２２，１３３０によって送受信される主信号の処理を行う。主信号処理回路１３１０は、たとえばＦＰＧＡ（Ｆｉｅｌｄ  Ｐｒｏｇｒａｍｍａｂｌｅ  Ｇａｔｅ  Ａｒｒａｙ）やＬＳＩ（Ｌａｒｇｅ  Ｓｃａｌｅ  Ｉｎｔｅｇｒａｔｉｏｎ：大規模集積回路）などのデジタル回路により実現することができる。
【０１３２】
たとえば、主信号処理回路１３１０は、光モジュール１３２１，１３２２から出力された信号（電気信号）の処理を行い、処理を行った信号を光モジュール１３３０へ出力する。また、主信号処理回路１３１０は、光モジュール１３３０から出力された信号（電気信号）の処理を行い、処理を行った信号を光モジュール１３２１，１３２２へ出力する。
【０１３３】
クライアント側の光モジュール１３２１，１３２２は、それぞれクライアント側と接続され、主信号処理回路１３１０の制御によって光信号の送受信を行う。たとえば、光モジュール１３２１，１３２２のそれぞれは、クライアント側から受信した光信号を電気信号に変換し、電気信号に変換した信号を主信号処理回路１３１０へ出力する。また、光モジュール１３２１，１３２２のそれぞれは、主信号処理回路１３１０から出力された信号（電気信号）を光信号に変換し、変換した光信号をクライアント側へ伝送する。
【０１３４】
たとえば、伝送装置１３００を第１伝送装置１１０に適用する場合は、上述した複数の入力ポートから入力される各信号は、光モジュール１３２１，１３２２から主信号処理回路１３１０へ入力される各信号である。また、伝送装置１３００を第２伝送装置１２０に適用する場合は、上述した複数の出力ポートから出力される各信号は、主信号処理回路１３１０から光モジュール１３２１，１３２２へ出力される各信号である。
【０１３５】
ネットワーク側の光モジュール１３３０は、複数の物理回線１３０１〜１３０ｎを介してネットワーク側と接続され、主信号処理回路１３１０の制御によって光信号の送受信を行う。たとえば伝送装置１３００を第１伝送装置１１０に適用する場合は、ネットワーク側とはたとえば第２伝送装置１２０である。また、この場合に、図１０に示した電光変換部１０３１〜１０３４は、たとえば光モジュール１３３０に含まれる。また、伝送装置１３００を第２伝送装置１２０に適用する場合は、ネットワーク側とはたとえば第１伝送装置１１０である。また、この場合に、図１０に示した光電変換部１０４１〜１０４４は、たとえば光モジュール１３３０に含まれる。
【０１３６】
たとえば、光モジュール１３３０は、ネットワーク側から受信した光信号を電気信号に変換し、電気信号に変換した信号を主信号処理回路１３１０へ出力する。また、光モジュール１３３０は、主信号処理回路１３１０から出力された信号（電気信号）を光信号に変換し、変換した光信号をネットワーク側へ伝送する。
【０１３７】
クライアント側に２個の光モジュール１３２１，１３２２を備える構成について説明したが、クライアント側の光モジュールの数は２個に限らず任意の数とすることができる。また、ネットワーク側に１個の光モジュール１３３０を備える構成について説明したが、ネットワーク側の光モジュールの数は１個に限らず任意の数とすることができる。
【０１３８】
また、クライアント側の通信モジュールとして光モジュール１３２１，１３２２を備える構成について説明したが、クライアント側の通信モジュールは光モジュールに限らず電気通信モジュールであってもよい。
【０１３９】
このように、実施の形態によれば、複数のＯＤＵフレックスフレームを格納したＯＴＵＣｎフレームを複数の物理回線に分けて伝送する構成で、入力信号からアイドル信号以外のデータを抽出し、抽出したデータをＯＤＵフレックスフレームに格納することができる。これにより、帯域を圧縮したＯＤＵフレックスフレームを得ることができる。そして、一部の物理回線に障害が発生した場合に、その物理回線に対応するＯＤＵフレックスフレームを、ＯＴＵＣｎフレームにおける他の物理回線により伝送されるＴＳに格納することができる。これにより、一部の物理回線に障害が発生しても、通信サービスへの影響を抑制することができる。
【０１４０】
たとえば、従来技術では、ＯＴＵＣｎフレームのＴＳとＴＰの対応付けが固定的であり、イーサネットデータの有効データ量によらず固定的にＴＳを専有するので、アイドル信号の分だけ回線利用効率が悪くなる。一例としては、１００ＧＥおよび４００ＧＥの各データを伝送する場合に、１００ＧＥの回線は常にＯＴＵＣｎフレームの２０個のＴＳを専有し、４００ＧＥの回線は常にＯＴＵＣｎフレームの８０個のＴＳを専有する。
【０１４１】
これに対して、第１伝送装置１１０は、ＯＤＵフレックスフレーム単位で処理を行うことで、ＴＳに非依存となるため、柔軟な回線帯域の利用が可能となる。また、１つのＴＳには１つのイーサネットデータしか格納できないが、ＯＤＵフレックスフレーム単位で処理することにより、１つのＴＳに複数のイーサネットデータを多重することが可能になり、回線利用効率がよくなる。その結果、故障回線を救済する際においても、イーサネット信号の伝搬遅延時間を抑制することができる。
【０１４２】
以上説明したように、伝送装置および伝送方法によれば、一部の回線に障害が発生しても通信サービスへの影響を抑制することができる。
【０１４３】
たとえば、ＩＴＵ−Ｔ  Ｇ．７０９勧告において、Ｂｅｙｏｎｄ  １００Ｇ（Ｂ１００Ｇ）のデータをトランスポートするためのフレームであるＯＴＵＣｎが規定された。ＩＴＵ−ＴはＩｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  ｓｅｃｔｏｒ（国際電信電話諮問委員会）の略である。ＯＴＵＣｎは、複数の光信号（１００Ｇの光モジュール）をボンディング（チャネルボンディング）し、１００［Ｇｂｐｓ］以上の信号を論理的に一つの回線として扱えるようにしたものである。
【０１４４】
ＯＴＵＣｎは、複数の光信号を論理的に一つの回線として扱う規格のため、複数ある光モジュールの一部が物理的に故障（部分故障）した場合は、全光信号の伝送がストップし、あるいは故障通知信号が伝送される。したがって、部分故障が大容量回線の全断を引き起こし、サービスに影響を与えてしまう。そのため、部分故障によるサービスへの影響を抑制することが望まれる。
【０１４５】
たとえば、一部の回線に障害が発生した場合に、障害が発生した回線に対応するＴＳを使用しないようにＴＳとＴＰの対応付けを変更してＭＳＩを更新する方法が考えられる。しかしながら、この方法では、たとえばＭＳＩの更新にはオペレータの介在を要するため、ＭＳＩを更新するまでに時間がかかるという問題がある。また、上述のようにＭＳＩの送信周期は２５６フレーム周期と長いため、ＭＳＩを更新してから回線の障害が救済されるまでにも時間がかかるという問題がある。
【０１４６】
これに対して、上述した実施の形態は、たとえばＯＴＵＣｎにマッピングされるイーサネットデータには、イーサネットのパケット方式上、有効データによる回線使用率は１００％にはならず、パケット間にアイドル信号の期間が存在することを利用する。すなわち、上述の第１伝送装置１１０は、イーサネットデータのアイドル信号をマッピングしないことで帯域を圧縮することで救済回線への影響を抑制しつつ、障害回線を救済し、回線全体の断などの通信サービスへの影響を抑制することができる。
【０１４７】
また、第１伝送装置１１０は、障害が発生していない回線で伝送しているイーサネットデータのアイドル信号の割合（回線使用率）に応じて救済回線へのデータの割当を行う。これにより、救済に使用可能な各回線の回線使用率に応じて障害回線の救済を効率よく行い、通信サービスへの影響を抑制することができる。
【０１４８】
また、第１伝送装置１１０は、マルチプレクサ２４０においてＯＤＵフレックスフレームのオーバヘッドに行先ポート情報をラベリングすることで、オペレータ等の人手を介さずに瞬時に回線の救済を行うことが可能になる。たとえば、ＯＤＵフレックスフレームのフレーム周期は１００ＧｂＥの場合は約１．１８２［μｓ］であり、４００ＧｂＥの場合は約０．２９５［μｓ］であり、回線の救済は最短でこの時間で可能となる。
【０１４９】
上述した各実施の形態に関し、さらに以下の付記を開示する。
【０１５０】
（付記１）入力信号からアイドル信号以外のデータを抽出し、抽出した前記データを格納した第１フレームを生成し、前記生成した第１フレームを第２フレームに格納するフレーム処理部と、
複数の回線のうち、前記第２フレームにおける第１フレームの格納領域に対応する回線に分けて前記第２フレームを伝送する伝送部と、を有し、
前記伝送部は、前記複数の回線のうちの一部の回線に障害が発生した場合に、前記一部の回線に対応する前記第１フレームを、前記第２フレームにおける前記一部の回線と異なる回線により伝送される領域に格納する
ことを特徴とする伝送装置。
【０１５１】
（付記２）前記第１フレームは、抽出した前記データが前記第２フレームに格納されるまでに行われる各フレーム化のうち最初のフレーム化により得られるフレームであることを特徴とする付記１に記載の伝送装置。
【０１５２】
（付記３）前記第１フレームはＯＤＵフレックスフレームであることを特徴とする付記１または２に記載の伝送装置。
【０１５３】
（付記４）前記第２フレームはＯＴＵＣｎフレームであることを特徴とする付記１〜３のいずれか一つに記載の伝送装置。
【０１５４】
（付記５）前記フレーム処理部は、複数のポートからの各入力信号について前記第１フレームを生成し、前記生成した第１フレームを、前記第１フレームのデータの入力ポートに応じた回線により伝送されるように前記第２フレームに格納し、
前記第２フレームは、前記第１フレームが格納される前記第２フレームの各領域と、前記複数のポートと、の対応情報を含む、
ことを特徴とする付記１〜４のいずれか一つに記載の伝送装置。
【０１５５】
（付記６）前記フレーム処理部は、前記障害が発生した場合に、前記一部の回線に対応する前記第１フレームに、前記複数のポートのうち、前記一部の回線に対応する前記第１フレームのデータのポートを示す情報を付与し、前記情報を付与した前記第１フレームを前記異なる回線により伝送される領域に格納する、
ことを特徴とする付記５に記載の伝送装置。
【０１５６】
（付記７）前記フレーム処理部は、前記複数のポートからの各入力信号の回線使用率を示す情報に基づいて、前記障害が発生した場合に、前記一部の回線に対応する前記第１フレームを、前記異なる回線により伝送される領域に格納することを特徴とする付記５または６に記載の伝送装置。
【０１５７】
（付記８）前記フレーム処理部は、前記回線使用率を示す情報に基づいて、前記第２フレームの各領域の中から、前記一部の回線に対応する前記第１フレームを格納する領域を選択することを特徴とする付記７に記載の伝送装置。
【０１５８】
（付記９）入力信号からアイドル信号以外のデータを抽出し、抽出した前記データを格納した第１フレームを生成し、前記生成した第１フレームを第２フレームに格納し、複数の回線のうち、前記第２フレームにおける第１フレームの格納領域に対応する回線に分けて前記第２フレームを伝送し、前記複数の回線のうちの一部の回線に障害が発生した場合に、前記一部の回線に対応する前記第１フレームを、前記第２フレームにおける前記一部の回線と異なる回線により伝送される領域に格納する他の伝送装置から、前記複数の回線に分けて伝送される前記第２フレームを受信する受信部と、
前記受信部によって受信された前記第２フレームから前記データを抽出する抽出部と、
を備えることを特徴とする伝送装置。
【０１５９】
（付記１０）伝送装置が、
入力信号からアイドル信号以外のデータを抽出し、抽出した前記データを格納した第１フレームを生成し、
前記生成した第１フレームを第２フレームに格納し、
複数の回線のうち、前記第２フレームにおける第１フレームの格納領域に対応する回線に分けて前記第２フレームを伝送し、
前記複数の回線のうちの一部の回線に障害が発生した場合に、前記一部の回線に対応する前記第１フレームを、前記第２フレームにおける前記一部の回線と異なる回線により伝送される領域に格納する、
ことを特徴とする伝送方法。
【０１６０】
（付記１１）伝送装置が、
入力信号からアイドル信号以外のデータを抽出し、抽出した前記データを格納した第１フレームを生成し、前記生成した第１フレームを第２フレームに格納し、複数の回線のうち、前記第２フレームにおける第１フレームの格納領域に対応する回線に分けて前記第２フレームを伝送し、前記複数の回線のうちの一部の回線に障害が発生した場合に、前記一部の回線に対応する前記第１フレームを、前記第２フレームにおける前記一部の回線と異なる回線により伝送される領域に格納する他の伝送装置から、前記複数の回線に分けて伝送される前記第２フレームを受信し、
受信した前記第２フレームから前記データを抽出する、
ことを特徴とする伝送方法。
【符号の説明】
【０１６１】
１００  伝送システム
１０１〜１０ｎ  回線
１１０  第１伝送装置
１１１  フレーム処理部
１１２  伝送部
１２０  第２伝送装置
１２１  受信部
１２２  抽出部
２０１，３８１  変換部
２１１，２１２  モニタ
２２１，２２２  バッファ
２３１，２３２  ＯＤＵフレックスフレーマ
２４０  マルチプレクサ
２５１，２５２  ＯＤＴＵＣｎフレーマ
２６０  ＯＤＴＵＧＣｎフレーマ
２７０  ＯＰＵＣｎフレーマ
２８０  ＯＤＵＣｎフレーマ
２９０  ＯＴＵＣｎフレーマ
３１０  ＯＴＵＣｎデフレーマ
３２０  ＯＤＵＣｎデフレーマ
３３０  ＯＰＵＣｎデフレーマ
３４０  ＯＤＴＵＧＣｎデフレーマ
３５１，３５２  ＯＤＴＵＣｎデフレーマ
３６０  デマルチプレクサ
３７１，３７２  ＯＤＵフレックスデフレーマ
４００，８４０  ＯＴＵＣｎフレーム
４１０  ＰＳＩ
４１１  ＭＳＩ
４２０，１１１０  ペイロード
８０１〜８０５，１０２１〜１０２４，１３０１〜１３０ｎ  物理回線
８１１，８１２  入力ポート
８２１，８２２，１０１１〜１０１４，１１００  ＯＤＵフレックスフレーム
８３１，８３２，１２１０  ＯＤＴＵＣｎフレーム
８５１，８５２  出力ポート
１０３１〜１０３４  電光変換部
１０４１〜１０４４  光電変換部
１１２１，１１２２  オーバヘッド
１３００  伝送装置
１３１０  主信号処理回路
１３２１，１３２２，１３３０  光モジュール
【図１】
2018166307.tif 000003
【図２】
2018166307.tif 000004
【図３】
2018166307.tif 000005
【図４】
2018166307.tif 000006
【図５】
2018166307.tif 000007
【図６】
2018166307.tif 000008
【図７】
2018166307.tif 000009
【図８】
2018166307.tif 000010
【図９】
2018166307.tif 000011
【図１０】
2018166307.tif 000012
【図１１】
2018166307.tif 000013
【図１２】
2018166307.tif 000014
【図１３】
2018166307.tif 000015